(57)【特許請求の範囲】
【請求項１】
ホッパケース内に保留された同一金種の硬貨を硬貨繰出機構を介して一枚づつ繰り出すとともに、この繰り出された硬貨を硬貨排出通路を通して払出口に排出してなる硬貨払出装置において、
前記硬貨排出通路の途上に通路切換機構を設け、硬貨回収時にこの通路切換機構の切換え制御で、前記硬貨排出通路に繰り出された硬貨を回収金庫に回収すると共に、前記硬貨繰出機構の異常作動を検知したときに、通路切換機構を切換え制御して、硬貨排出通路に繰り出された硬貨を回収金庫内に回収してなる払出異常防止機構を設けたことを特徴とする硬貨払出装置。
【請求項２】
払出異常防止機構は、硬貨繰出機構を駆動する駆動部に印加される電圧を検知し、前記駆動部に駆動信号が送出されていなくて電圧が印加されているときに、前記駆動部の制御回路を遮断してなることを特徴とする請求項１に記載の硬貨払出装置。
【発明の詳細な説明】
【０００１】
【発明の属する技術分野】
本発明は、例えば自動両替機に搭載される硬貨払出装置に関し、特に、硬貨回収時の回収作業を安全かつ容易に行なえるようにしたものである。
【０００２】
【従来の技術】
従来、この種の自動両替機においては、機体内に搭載された硬貨払出装置として、ホッパケース内に保留された同一金種の硬貨を硬貨繰出機構を介して一枚づつ繰り出し、この繰り出された硬貨を硬貨排出通路を通して払出口に排出してなる構成を有するものがある。
【０００３】
【発明が解決しようとする課題】
しかしながら、このような上記した従来の硬貨払出装置では、閉店後、ホッパケース内に残存する硬貨を回収する際、機体のドアを開き、ホッパケースの底部側面に開口させて設けた回収口を閉扉する回収扉を外側に開いて、予め用意した回収ボックス内に一括して排出させるか、あるいは、硬貨繰出機構を連続運転に切換えて機体の外側の払出口から回収ボックス内に排出させることにより行なわれているのが現状である。
【０００４】
このため、ホッパケース底部側の回収口から硬貨を排出し回収してなるものでは、硬貨を一括して排出させる点において、短時間で効率良く回収することができる反面、回収扉を外側に開く構造であることから、ホッパケースの周囲に回収扉を開閉するための余分なスペースが必要となり、これによって、機体が大型化するばかりでなく、ホッパケース内底面と硬貨繰出機構との間に硬貨が留まり易く、完全に排出させることが困難である。
【０００５】
また、硬貨繰出機構を連続運転に切換えて払出口から排出し回収してなるものでは、上述の回収構造のものと比較した場合、機体の小型化を図ることができ、しかも、硬貨の排出が完全に行なうことができる反面、排出時間が長く、効率の良い回収が行なえないばかりでなく、盗難防止などの安全性の上で、硬貨を回収している間中は、機体の傍から離れることができないという問題があった。
【０００６】
本発明の目的は、硬貨回収時の回収作業を安全かつ容易に行なうことができるようにした硬貨払出装置を提供することにある。
【０００７】
【課題を解決するための手段】
上記した課題を解決するために、本発明は、ホッパケース内に保留された同一金種の硬貨を硬貨繰出機構を介して一枚づつ繰り出すとともに、この繰り出された硬貨を硬貨排出通路を通して払出口に排出してなる硬貨払出装置において、前記硬貨排出通路の途上に通路切換機構を設け、硬貨回収時にこの通路切換機構の切換え制御で、前記硬貨排出通路に繰り出された硬貨を回収金庫に回収すると共に、前記硬貨繰出機構の異常作動を検知したときに、通路切換機構を切換え制御して、硬貨排出通路に繰り出された硬貨を回収金庫内に回収してなる払出異常防止機構を設けてなる構成としたものである。
【０００８】
この場合、前記回収金庫は、硬貨繰出機構の異常作動を検知したときに、通路切換機構を切換え制御して、硬貨排出通路に繰り出された硬貨を回収金庫内に回収してなる払出異常防止機構を設けてなるもので、この払出異常防止機構は、硬貨繰出機構を駆動する駆動部に印加される電圧を検知し、前記駆動部に駆動信号が送出されていなくて電圧が印加されているときに、前記駆動部の制御回路を遮断してなるものである。
【０００９】
【発明の実施の形態】
以下、本発明の実施の形態を図面を参照しながら詳細に説明すると、図１、図２は例えば自動両替機などの機体（図示せず）に搭載される硬貨払出装置の全体構成を概略的に示すもので、図中１は例えば５００円硬貨などのような同一金種の硬貨Ｐが保留されるホッパケースである。
【００１０】
このホッパケース１の底面部側に開口させた投入口２には、後述する硬貨繰出機構３が設けられていて、この硬貨繰出機構３は、前記ホッパケース１内の硬貨Ｐを所定の枚数に応じて繰出口３ａから一枚づつ繰り出すようになっている。
【００１１】
そして、前記硬貨繰出機構３の繰出口３ａ側には、硬貨排出通路４が設けられていて、この硬貨排出通路４を通して前記硬貨繰出機構３から繰り出された硬貨Ｐを図示しない機体の払出口に向け排出するようになっている。
【００１２】
前記硬貨繰出機構３は、図３及び図４に示すように、前記ホッパケース１の底面部側投入口２に配設される固定基板３１と、この固定基板３１上に回転自在に設けられた硬貨繰出ロータ３２と、この硬貨繰出ロータ３２を駆動する駆動モータ（ＡＣモータ）３３とで構成されているとともに、前記硬貨繰出ロータ３２には、複数の硬貨収納孔３２ａが円周方向に設けられ、これらの硬貨収納孔３２ａには、前記ホッパケース１内から投入された硬貨Ｐが収納されるようになっている。
【００１３】
すなわち、前記硬貨繰出ロータ３２の各硬貨収納孔３２ａに収納された硬貨Ｐは、前記駆動モータ３３による硬貨繰出ロータ３２の時計方向Ｘの回転により、前記固定基板３１の繰出口３ａ側に対応する位置に突出させて設けた一対の払出ピン３４，３４にて掻き出されて一枚づつ繰り出されるようになっているものである。
【００１４】
ところで、これら各々の払出ピン３４は、図５に示すように、その先端部３４ａが先窄み状のテーパ面に形成されているとともに、押え金具３５とスプリング３６とで弾性的に突没自在に前記固定基板３１上に突出し、硬貨Ｐが前記硬貨繰出ロータ３２の硬貨収納孔３２ａの内壁面３２ｂと払出案内ピン３４との間に立上り状態で介在したときの抵抗を受けて、前記払出ピン３４の先端部３４ａが弾性的に没するように下降してロック状態を開放するようになっている。
【００１５】
なお、図中３７，３７は前記固定基板３１の繰出口３ａに突出させて設けた一対の払出案内ピンである。
【００１６】
また、図中５は前記硬貨排出通路４の下部途上に分岐形成した硬貨回収通路で、この硬貨回収通路５の分岐開口部５ａには、通路切換機構６が設けられている。
【００１７】
この通路切換機構６は、前記硬貨回収通路５の分岐開口部５ａを開閉するシャッタ６１と、このシャッタ６１を開閉自在に駆動させるソレノイド６２とで構成され、このソレノイド６２の駆動にて前記シャッタ６１を開いて前記硬貨回収通路５の分岐開口部５ａを開放すると同時に、前記硬貨排出通路４を遮断し、前記硬貨回収通路５に硬貨Ｐを導入するように切換え制御されるようになっている。
【００１８】
さらに、図中１０は前記ホッパケース１の真下に対応する位置に取出し可能に配設した回収金庫で、この回収金庫１０内に前記硬貨回収通路５に導入された硬貨Ｐを回収し収納するようになっている。
【００１９】
しかして、上記した本発明に係る硬貨払出装置の構成によれば、通常の両替時における硬貨払出しでは、制御回路（図示せず）からの信号の送出による電圧（ＡＣ１００Ｖ）の印加で硬貨繰出機構３の駆動モータ３３を駆動させ、硬貨繰出ロータ３２の回転により、ホッパケース１内に保留された硬貨Ｐを両替金額に応じた枚数分が約５枚／秒の速度で一枚づつ繰り出され、硬貨排出通路４を通して図示しない機体の払出口に向け排出される。
【００２０】
この場合に、硬貨繰出機構３の異常作動を検知したとき、例えば駆動モータ（ＡＣモータ）３３の制御回路がショートモードで破損したときのように、駆動モータ３３の連続異常運転による硬貨Ｐの出離しを防止するために、駆動モータ３３に印加される電圧（ＡＣ１００Ｖ）を検知し、駆動モータ３３に駆動信号が送出されていなくて電圧が印加されているときに、通路切換機構６を切換え制御して、シャッタ６１を開き、硬貨回収通路５の分岐開口部５ａを開放すると同時に、硬貨排出通路４を遮断し、硬貨排出通路４に繰り出された硬貨Ｐを硬貨回収通路５を通して回収金庫１０内に回収する一方、駆動モータ３３の制御回路を遮断するような払出異常防止機構が設けられている。
【００２１】
そして、硬貨回収時には、駆動モータ３３を連続運転モードに設定し、通路切換機構６を切換え制御することにより、シャッタ６１を開いて硬貨回収通路５の分岐開口部５ａを開放すると同時に、硬貨排出通路４を遮断し、硬貨排出通路４に繰り出された硬貨Ｐを硬貨回収通路５を通して回収金庫１０内に回収してなるものである。
【００２２】
【発明の効果】
以上説明したように、本発明は、ホッパケース内に保留されて硬貨繰出機構を介して一枚づつ繰り出された硬貨を払出口に排出する硬貨排出通路の途上に通路切換機構を設け、硬貨回収時にこの通路切換機構の切換え制御で、前記硬貨排出通路に繰り出された硬貨を回収金庫に回収すると共に、前記硬貨繰出機構の異常作動を検知したときに、通路切換機構を切換え制御して、硬貨排出通路に繰り出された硬貨を回収金庫内に回収してなる払出異常防止機構を設けてなることから、従前のように、硬貨の回収作業を機体のドアを開いたり、回収の間中、機体の傍に居ることなく安全かつ容易に行なうことができるとともに、ホッパケース内底面と硬貨繰出機構との間に硬貨が留まることがないために、完全な硬貨の回収を行なうことができる。
【００２４】
さらに、請求項１において、硬貨繰出機構の異常作動を検知したときに、通路切換機構を切換え制御して、硬貨排出通路に繰り出された硬貨を回収金庫内に回収してなる払出異常防止機構を設けてなるために、連続異常運転による硬貨の出離しを防止することができる。
【００２５】
しかも、請求項２において、払出異常防止機構が硬貨繰出機構を駆動する駆動部に印加される電圧を検知し、駆動部に駆動信号が送出されていなくて電圧が印加されているときに、駆動部の制御回路を遮断してなるために、払出異常の検知を容易に行なうことができる。
【図面の簡単な説明】
【図１】本発明に係る硬貨払出装置の実施の形態の全体構成を概略的に示す説明図。
【図２】同じく硬貨払出装置の全体構成を示す概略的斜視図。
【図３】同じく硬貨繰出機構の概略的平面図。
【図４】同じく硬貨繰出機構の概略的断面図。
【図５】同じく同じく硬貨繰出機構の要部拡大概略的断面図。
【符号の説明】
１・・・ホッパケース、
２・・・投入口、
３・・・硬貨繰出機構、
３ａ・・・繰出口、
４・・・硬貨排出通路、
５・・・硬貨回収通路、
６・・・通路切換機構、
６１・・・シャッタ、
６２・・・ソレノイド、
１０・・・回収金庫、
Ｐ・・・硬貨。
【図１】
0003695801.tif 000002
【図２】
0003695801.tif 000003
【図３】
0003695801.tif 000004
【図４】
0003695801.tif 000005
【図５】
0003695801.tif 000006